(57)【特許請求の範囲】
【請求項１】
互いに相対的に接近及び離間される一方の部材及び他方の部材と、上記一方の部材側から他方の部材側に長さを有してなる軸部材と、を備えた機械又は器具に取り付けられるフィルター付き伸縮カバーであって、
上記軸部材が内部に挿通される挿通空間が内側に形成されてなる単一又は複数の伸縮カバー本体と、
上記伸縮カバー本体の一端又は他端の何れかと、上記一方又は他方の部材とにより挟まれ、又は上記伸縮カバー本体と伸縮カバー本体との間に配置されてなり、上記軸部材が内部に挿通される挿通空間が内側に形成されてなるフィルターと、を備え、
上記フィルターは、上記挿通空間が形成された内側から該フィルターの外側に向かって長さを有する分割面により２つないし４つの何れかに分割されてなることを特徴とするフィルター付き伸縮カバー。
【請求項２】
前記分割面は、前記フィルターの中心から偏倚した位置から該フィルターの外側に向かって長さを有してなるものであることを特徴とする請求項１記載のフィルター付き伸縮カバー。
【請求項３】
前記分割面は、それぞれ長さ方向が異なる複数の直線状の断面が連続してなり、または、単一の曲線状であるか、若しくは複数の曲線状の分割面が連続してなるものであることを特徴とする請求項１記載のフィルター付き伸縮カバー。
【発明の詳細な説明】
【技術分野】
【０００１】
本発明は、蛇腹状に成形された伸縮カバーが伸縮動作する際に、該伸縮カバー内に空気が流入又は該伸縮カバー内から空気が外部に流出するフィルターを備えたフィルター付き伸縮カバーに関するものである。
【背景技術】
【０００２】
蛇腹等の伸縮カバーは、これまで工作機械、レーザ加工機、三次元測定機或いは半導体製造装置等の産業機械や器具、或いは、これらの機械要素として配置される直動装置等に組付けられ、回転軸や摺動軸或いは内部通路等の内部に塵埃が侵入することによって精度に悪影響が生じたり、安全性を確保したりする目的で使用されている。
【０００３】
ところで、こうした伸縮カバーは、内部が密閉されており、上記機械や器具の動作による伸縮に伴い、所定の部位から空気が出入りするタイプのものがある。すなわち、機械又は器具の（自動又は手動による）動作に伴い、伸縮カバーが伸長されると内部の容積が増加することから、所定の開口から外気が該伸縮カバー内に流入し、逆に伸長された状態から縮小された場合には、伸縮カバー内の空気が上記開口から放出されるタイプの伸縮カバーがある。しかし、上記開口から空気が出入りすることにより、伸縮カバー内部に塵埃が侵入する危険性があり、これを防止するために上記伸縮カバーにフィルターを装着し、このフィルターを介して空気が出入りできるようにされたもの（フィルター付き伸縮カバー）も存在する（特許文献１参照）。
【先行技術文献】
【特許文献】
【０００４】
【特許文献１】特開２００３−２２００２号公報
【発明の概要】
【発明が解決しようとする課題】
【０００５】
ところで、上記従来のフィルター付き伸縮カバーのように、伸縮カバーの伸縮動作により、フィルター内を空気が通過するタイプのものは、長期間使用することにより上記フィルターに目詰まりが生じたり、フィルターそのものが劣化したりする事態を避けることができない。フィルターに目詰まりが生じた場合には、機械や器具の動作により追従して行われるべき伸縮カバーの伸縮動作に遅れを生じ、場合によっては伸縮フィルターが変形して不規則な部位で伸縮してしまうし、このフィルター付き伸縮カバーの伸縮動作の遅れにより、該フィルター付き伸縮カバーが取り付けられる機械や器具の駆動部に抵抗を与えることにもなる。したがって、このように上記フィルターに目詰まりが生じた場合には、該フィルターのみを交換する必要性が高い。
【０００６】
しかしながら、上記従来のフィルター付き伸縮カバーでは、フィルターを交換しようとする場合、必然的に伸縮カバーも含めて機械や器具からこのフィルター付き伸縮カバー全体を一旦取り除かなくてはならず、これを取り除く場合には、機械や器具も分解する必要性が生じ、面倒さや煩雑さを避けることができない。
【０００７】
そこで、本発明は、上述した従来のフィルター付き伸縮カバーが有する課題を解決するために提案されたものであって、フィルターの劣化や目詰まり等により該フィルターを交換する際、フィルター付き伸縮カバーが取り付けられた機械器具を分解する必要性がなく、フィルターのみを簡単に交換することができる新規なフィルター付き伸縮カバーを提供することを目的とするものである。
【課題を解決するための手段】
【０００８】
本発明は、上記課題を解決するために提案されたものであって、第１の発明（請求項１記載の発明）は、互いに相対的に接近及び離間される一方の部材及び他方の部材と、上記一方の部材側から他方の部材側に長さを有してなる軸部材と、を備えた機械又は器具に取り付けられるフィルター付き伸縮カバーであって、上記軸部材が内部に挿通される挿通空間が内側に形成されてなる単一又は複数の伸縮カバー本体と、上記伸縮カバー本体の一端又は他端の何れかと、上記一方又は他方の部材とにより挟まれ、又は上記伸縮カバー本体と伸縮カバー本体との間に配置されてなり、上記軸部材が内部に挿通される挿通空間が内側に形成されてなるフィルターと、を備え、上記フィルターは、上記挿通空間が形成された内側から該フィルターの外側に向かって長さを有する分割面により２つないし４つの何れかに分割されてなることを特徴とするものである。
【０００９】
上記第１の発明に係るフィルター付き伸縮カバーは、以下に説明する機械又は器具に取り付けられるものである。この機械又は器具は、少なくとも、相対的に接近及び離間される一方の部材及び他方の部材と、上記一方の部材側から他方の部材側に長さを有してなる軸部材と、を備えたものである。上記一方の部材が固定されている場合は、他方の部材が該一方の部材側に接近及び離間するよう移動可能となされ、逆に他方の部材が固定されている場合は、一方の部材が他方の部材側に接近及び離間するよう移動可能となされている。また、上記軸部材は、一方の部材側から他方の部材側に長さを有していれば良い。また、この軸部材は、上記一方又は他方の部材が、相対的に接近し又は離間する際、その移動方向にガイドする機能を果たすものであっても良い。例えば、一方の部材が固定され、他方の部材に対して外部から力を作用させることにより、他方の部材は軸部材に沿って一方の部材側に接近する機械や器具は、これに該当する。また、上記軸部材は、駆動手段により回転駆動するものであっても良いし、手指で回動操作可能なものであっても良い。例えば、モータ等の駆動手段により軸部材が（例えば正回転することにより）上記一方の部材（又は他方の部材）側に他方の部材（又は一方の部材）が移動（接近）し、逆回転することにより、上記一方の部材（又は他方の部材）側から他方の部材（又は一方の部材）が離れるように移動（離間）するものがこれに該当する。
【００１０】
そして、上述した機械又は器具に取り付けられるフィルター付き伸縮カバーは、単一又は複数の伸縮カバー本体とフィルターとを備えている。そして、上記伸縮カバー本体は、上記一方又は他方の部材の移動に伴って伸縮するものであり、蛇腹のように山部と谷部とが交互に形成され、これら山部や谷部を頂点として左右両側の角度が変化することにより、該伸縮カバー本体の全長が伸長され又は縮小する部材であっても良いし、ゴム等のように、素材そのものの性質により伸縮するものであっても良い。また、上記フィルターは、上記伸縮カバー本体が伸長した際に、外部からの空気が該伸縮カバー本体内に流入する際に該空気が通過し、逆に伸縮カバー本体が縮小した際に、該伸縮カバー本体内の空気が外部に流出する際に該空気が通過する部材である。そして、この第１の発明では、上記フィルターは、上記挿通空間が形成された内側から該フィルターの外側に向かって長さを有する分割面により分割されている必要がある。このフィルターは、分割された個々のフィルター（以下、分割片と言う。）を組み合わせることにより、内側に上記挿通空間が形成されたフィルターとなるものである。
【００１１】
また、第２の発明（請求項２記載の発明）は、上記第１の発明において、前記分割面は、前記フィルターの中心から偏倚した位置から該フィルターの外側に向かって長さを有してなるものであることを特徴とするものである。
【００１２】
この第２の発明に係るフィルター付き伸縮カバーを構成する分割面は、その長さ方向の延長線にフィルターの中心が位置しない。したがって、例えば、伸縮カバー本体の伸長動作に伴って外部から該伸縮カバー本体内に流入する空気の流入方向と、上記分割面の長さ方向とは一致しないこととなり、分割片と分割片との間に隙間が生じた場合であっても、流入する空気は必ず分割片を通過して内部に流入することとなる。
【００１３】
また、第３の発明（請求項３記載の発明）は、上記第１の発明において、前記分割面は、それぞれ長さ方向が異なる複数の直線状の断面が連続してなり、または、単一の曲線状であるか、若しくは複数の曲線状の分割面が連続してなるものであることを特徴とするものである。
【００１４】
この第３の発明に係るフィルター付き伸縮カバーを構成する分割面は、それぞれ長さ方向が異なる複数の直線状の断面が連続してなるものである。例えば、二つの直線状の断面が端部で連続しているもの（く字状の分割面）がこれに該当する。三つ以上の直線状の断面が端部で連続しているものとしては、例えば、クランク状、鋸刃状の分割面がこれに該当する。また、単一の曲線状である例としては、単一の円弧状の分割面である場合がこれに該当する。さらに、複数の曲線状の分割面が連続してなるものとは、例えば、波状であるものが該当する。
【発明の効果】
【００１５】
上記第１の発明（請求項１記載の発明）に係るフィルター付き伸縮カバーによれば、長期間使用することにより、フィルターの劣化や目詰まり等により該フィルターを交換する際、このフィルター付き伸縮カバーが取り付けられた機械器具を分解する必要性がなく、フィルターのみを簡単に交換することができる。
【００１６】
また、第２の発明（請求項２記載の発明）及び第３の発明（請求項３記載の発明）によれば、分割された個々のフィルターとフィルターとの間に隙間が生じた場合であっても、その隙間から塵埃が内部に侵入する危険性を回避することができる。
【図面の簡単な説明】
【００１７】
【図１】第１の実施の形態に係るフィルター付き伸縮カバーが直動装置に装着されている状態を示す側面図である。
【図２】図１に示すフィルター付き伸縮カバーを分解した側面図である。
【図３】図２に示すフィルターの斜視図である。
【図４】第２の実施の形態に係るフィルター付き伸縮カバーが直動装置に装着されている状態を示す側面図である。
【図５】図４に示すフィルター付き伸縮カバーを分解した側面図である。
【図６】図５に示すフィルターの斜視図である。
【図７】フィルターの他の例を示す斜視図である。
【図８】第３の実施の形態に係るフィルター付き伸縮カバーを部分的に断面とした側面図である。
【図９】図８に示すフィルターの正面図である。
【発明を実施するための形態】
【００１８】
以下、本発明を実施するための最良の形態に係るフィルター付き伸縮カバーについて図面を参照しながら詳細に説明する。先ず、第１の実施の形態に係るフィルター付き伸縮カバーについて説明する。
【００１９】
このフィルター付き伸縮カバー１は、図１に示すように、直動装置２に装着されてなるものである。そこで、先ず、この直動装置２について説明する。この直動装置２は、図示しない左端側において、電動モータに接続されてなるボールネジ３と、このボールネジ３の右端において該ボールネジ３を回動自在に支持しているサポートユニット４とを備えている。そして、このボールネジ３の中途部には、ボールネジナット５が螺着されており、このボールネジナット５の上方には、ナットブラケット６を介してテーブル７が配置されている。したがって、上記図示しない電動モータの駆動軸が一方向に回転駆動（正転）し、上記ボールネジ３が正転すると、上記ボールネジナット５，ナットブラケット６及びテーブル７は、例えば、図１中左側に移動し、逆に、上記電動モータの駆動軸が逆転し、上記ボールネジ３が逆転すると、上記ボールネジナット５，ナットブラケット６及びテーブル７は、例えば、図１中右側に移動する。
【００２０】
そして、上記フィルター付き伸縮カバー１は、上記ボールネジナット５とサポートユニット４との間に装着されている（言うまでもなく、上記ボールネジナット５の左側にも、このフィルター付き伸縮カバー１が装着されているが、図示されていない。）。そして、この実施の形態に係る上記フィルター付き伸縮カバー１は、図１及び図２に示すように、一方の伸縮カバー本体１２と、他方の伸縮カバー本体１３と、上記一方の伸縮カバー本体１２と他方の伸縮カバー本体１３との間に配置されたフィルター１４とを備えている。上記フィルター付き伸縮カバー１の内部には、上記ボールネジ３が挿通されている。
【００２１】
上記一方及び他方の伸縮カバー本体１２，１３は、何れもゴムにより円筒状に成形されてなるとともに、多数の山部１２ａ，１３ａと谷部１２ｂ，１３ｂとが交互に形成されてなるものであり、隣会う山部１２ａ，１３ａと山部１２ａ，１３ａや谷部１２ｂ，１３ｂと谷部１２ｂ，１３ｂとの距離が広がることにより伸長し、狭まることにより縮小する。そして、上記一方の伸縮カバー本体１２の（図２中）左端は、第１の接合板１５を介して上記ボールネジナット５に固定されている。すなわち、上記一方の伸縮カバー本体１２の（図２中）左端は、ボールネジナット５と該ボールネジナット５に図示しないネジを介して固定される第１の接合板１５との間に挟まれた状態で固定されている。また、上記他方の伸縮カバー本体１３の右端は、第２の接合板１６を介して、上記サポートユニット４に固定されている。すなわち、上記他方の伸縮カバー本体１３の（図２中）右端は、サポートユニット４と該サポートユニット４に図示しないネジを介して固定される第２の接合板１６との間に挟まれた状態で固定されている。
【００２２】
そして、上記一方の伸縮カバー本体１２と他方の伸縮カバー本体１３との間には、第３の接合板１７と、第４の接合板１８と、これら第３及び第４の接合板１７，１８に挟まれたフィルター１４とが配置されている。上記第１ないし第４の接合板１５・・・１８は、内側に図示しない円形状の開口が形成された円盤体であって、それぞれ全部で６つのネジ穴（符号は省略する。）が穿設されている。すなわち、上記第１の接合板１５は、該第１の接合板１５に穿設されたネジ穴に挿通される図示しない６つのネジにより上記ボールネジナット５に固定され、上記第２の接合板１６は、該第２の接合板１６に穿設されたネジ穴に挿通される図示しない６つのネジにより上記サポートユニット４に固定されている。なお、上記ネジ穴は、一方の伸縮カバー本体１２と他方の伸縮カバー本体１３との左右両端にもそれぞれ４つずつ形成されている。
【００２３】
そして、上記フィルター１４は、図３に示すように、第１のフィルター半体２０と第２のフィルター半体２１とに分割されてなるものであり、第１及び第２のフィルター半体２０，２１には、それぞれ３つの貫通穴２０ａ，２０ｂ，２０ｃ，２１ａ，２１ｂ，２１ｃが形成され、これらの貫通穴２０ａ，２０ｂ，２０ｃ，２１ａ，２１ｂ，２１ｃには、円筒状に成形されたカラー２３が挿通されている。これらのカラー２３は、上記ネジ２５（図２参照）が挿通される部材である。なお、この実施の形態に係るフィルター付き伸縮カバー１では、上記フィルター１４は、２つの分割片（第１及び第２のフィルター半体２０，２１）からなり、該第１のフィルター半体２０の分割面２０ｄ及び第２のフィルター半体２１の分割面２１ｄは、それぞれ左右に一つずつ形成され、それぞれの分割面２０ｄ，２１ｄの長さ方向は、該フィルター１４の中心から放射方向とされている。
【００２４】
そして、上記フィルター１４は、上記第３の接合板１７と第４の接合板１８とにより挟まれ、ネジ２５とナット２６とが締結されることにより一体化されるものである。
【００２５】
そして、上述のように構成されたフィルター付き伸縮カバー１が、図１に示すように、直動装置２に装着されている場合において、上記ボールネジ３が（例えば）逆転し、上記ボールネジナット５やテーブル７が図１中右方向に移動すると、上記一方の伸縮カバー本体１２及び他方の伸縮カバー本体１３とはそれぞれ縮小するとともに、該フィルター付き伸縮カバー１の内部に存在していた空気は、上記フィルター１４の内を通過して外部に放出される。一方、上記ボールネジ３が正転し、上記ボールネジナット５やテーブル７が図１中左方向に移動すると、上記一方の伸縮カバー本体１２及び他方の伸縮カバー本体１３とはそれぞれ伸長するとともに、外部の空気は、上記フィルター１４を通過して内部に流入する。
【００２６】
そして、上記直動装置２の駆動により、上記フィルター付き伸縮カバー１を構成するフィルター１４が、破損したり、油その他の液体により目詰まりしたりするなどの原因により、該フィルター１４を交換する場合には、上記ネジ２５とナット２６との締結状態を解除し、上記第１及び第２のフィルター半体２０，２１を取り除き、新しい第１及び第２のフィルター半体２０，２１を装着すれば良い。
【００２７】
したがって、上述した実施の形態に係るフィルター付き伸縮カバー１によれば、少なくともフィルター１４を交換する場合において、図１に示すサポートユニット４をボールネジ３から取り外す必要性は無いことから、迅速な交換作業を実現することができる。
【００２８】
なお、上記実施の形態に係るフィルター付き伸縮カバー１では、一方の伸縮カバー本体１２と他方の伸縮カバー本体１３との間にフィルター１４を配置したが、本発明に係るフィルター付き伸縮カバーは、伸縮カバー本体の一端と機械や器具との間に配置されているものであっても良い。
【００２９】
例えば、図４は、第２の実施の形態に係るフィルター付き伸縮カバー３１を示すものであり、一方の伸縮カバー本体１２と他方の伸縮カバー本体１３とは、互いに図示しない接合板により接合され、上記一方の伸縮カバー本体１２の左端とボールネジナット５との間にフィルター３４が配置されている。なお、この実施の形態では、上記ボールネジナット５には、内周面にはネジが螺刻された図示しないネジ穴が形成され、図５に示すように、該ボールネジナット５と第１の接合板１５とにより、上記フィルター３４と一方の伸縮カバー本体１２の一端を挟み、この状態を、上記ネジ２５を図示しないネジ穴に螺着し締結することにより維持することによって、該一方の伸縮カバー本体１２の左端を固定している。
【００３０】
なお、この第２の実施の形態に係るフィルター付き伸縮カバー３１を構成するフィルター３４は、図６に示すように、第１のフィルター半体３５と第２のフィルター半体３６との二つに分割されたものである。そして、これら第１及び第２のフィルター半体３５，３６には、３つの貫通穴３５ａ，３５ｂ，３５ｃ，３６ａ，３６ｂ，３６ｃが形成され、これらの貫通穴３５ａ，３５ｂ，３５ｃ，３６ａ，３６ｂ，３６ｃには、円筒状に成形されたカラー２３が挿通されている。また、上記第１及び第２のフィルター半体３５，３６の分割面３５ｄ，３６ｄは、それぞれ左右に形成された単一の面であるとともに、それぞれの分割面３５ｄ，３６ｄの長さ方向の延長線上に、（組み合わされることにより円形状ないし円盤状とされた）フィルター３４の中心は無く、該フィルター３４の中心とは偏倚した位置からの延長線上に上記分割面３５ｄ，３６ｄが形成されている。
【００３１】
したがって、この第２の実施の形態に係るフィルター付き伸縮カバー３１によれば、全体で円形ないし円盤状にすべく上記第１のフィルター半体３５と第２のフィルター半体３６とをそれぞれ二つずつの分割面３５ｄ，３６ｄが接触するように組付けた場合、該分割面３５ｄ，３６ｄは、それぞれ上述した構成であることから、該分割面３５ｄ，３６ｄの隙間から塵埃が内部に侵入する可能性を回避することができる。
【００３２】
さらに、上記各実施の形態に係るフィルター付き伸縮カバー１，３１を構成するフィルター１４，３４の各分割面２０ｄ，２１ｄ，３５ｄ，３６ｄは、左右のそれぞれが単一の面であるが、この分割面は、左右それぞれが複数の面から成るものであっても良い。例えば、図７に示すフィルター４４は、第１及び第２のフィルター半体４５，４６の二つに分割されてなるものであるが、該第１及び第２のフィルター半体４５，４６（の左右に）に形成された分割面は、第１ないし第３の分割面４５ｄ，４５ｅ，４５ｆ，４６ｄ，４６ｅ，４６ｆからなり、それぞれ全体の形状はクランク状をなしている。
【００３３】
フィルター４４を、上記第１ないし第３の分割面４５ｄ，４５ｅ，４５ｆ，４６ｄ，４６ｅ，４６ｆを有する第１及び第２のフィルター半体４５，４６により構成することにより、上記一方及び他方の伸縮カバー本体１２，１３が伸張することにより、フィルター４４の外部から空気が内部に流入する際、上記分割面４５ｄ，４５ｅ，４５ｆ，４６ｄ，４６ｅ，４６ｆ同士の隙間から塵埃が内部に侵入する危険性をさらに一層回避することができる。
【００３４】
またさらに、上記各実施の形態に係るフィルター付き伸縮カバー１，３１では、伸縮カバー本体１２，１３の形状は、（リング状の山部１２ａ，１３ａが形成された）円筒形状であり、したがって、フィルター１４，３４の全体の形状は、円盤の中心に開口が形成された形状であるが、本発明に係るフィルター付き伸縮カバーは、単層又は複層からなるシートを折曲して山部と谷部とを交互に形成したものを、さらに筒状となした伸縮カバー本体であっても良い。図８は、こうした伸縮カバー本体５２を構成要素とする（第３の実施の形態に係る）フィルター付き伸縮カバー５１である。このフィルター付き伸縮カバー５１は、一方の伸縮カバー本体５２と他方の伸縮カバー本体５３とが中間板５４を介して連続してなるものであり、上記一方の伸縮カバー本体５２の左端には、第１の接合板５５が固定されている。また、上記他方の伸縮カバー本体５３の右端には第２の接合板５６が固定されており、本発明を構成するフィルター５７は、この第２の接合板５６に固定されている。上記第１の接合板５５には、該接合板５５を先に説明した直動装置等のような機械・器具やその要素部品等に固定される部材であって、該機械・器具やその要素部品等に固定する図示しないネジが挿通される挿通穴５５ａが複数穿設されている。同様に、上記第２の接合板５６にも図示しないネジが挿通される挿通穴５６ａが穿設されている。
【００３５】
そして、上記フィルター５７は、図９に示すように、外形形状は略八角形状となされ中央には方形状の開口（凹部５８ａ，５９ａ）が形成されたものを二つに均等に分割してなるものである。すなわち、上記フィルター５７は、第１のフィルター半体５８と第２のフィルター半体５９とから構成され、それぞれ長方形状の凹部５８ａ，５９ａが形成されている。また、フィルター５７が分割された左右の分割面５８ｂ，５８ｂ，５９ｂ，５９ｂの長さ方向の延長線上には、上記フィルター５７の中心が位置している。また、上記第１及び第２のフィルター半体５８，５９には、図示しないネジが挿通される３つの挿通穴５８ｃ，５８ｄ，５８ｅ，５９ｃ，５９ｄ，５９ｅが形成されている。なお、上記第２の接合板５６に穿設された挿通穴５６ａの位置と、上記挿通穴５８ｃ，５８ｄ，５８ｅ，５９ｃ，５９ｄ，５９ｅとの位置は互いに対応している。
【００３６】
上述した構成に係るフィルター付き伸縮カバー５１であっても、先に説明した各実施の形態に係るフィルター付き伸縮カバー１，３１と同じ作用効果を奏することができる。
【００３７】
なお、上述した第１ないし第３の実施の形態に係るフィルター付き伸縮カバー１，３１，５１では、何れもフィルター１４，３４，４４，５７は、二つに分割されているが、本発明を構成するフィルターは２つではなく、３つ或いは４つに分割されているものであっても良い。
【符号の説明】
【００３８】
１  フィルター付き伸縮カバー
２  直動装置
３  ボールネジ
１２  一方の伸縮カバー本体
１３  他方の伸縮カバー本体
１４  フィルター
２０  第１のフィルター半体
２０ｄ  分割面
２１  第２のフィルター半体
２１ｄ  分割面
３１  フィルター付き伸縮カバー
３４  フィルター
３５  第１のフィルター半体
３５ｄ  分割面
３６  第２のフィルター半体
３６ｄ  分割面
４４  フィルター
４５  第１のフィルター半体
４５ｄ  第１の分割面
４５ｅ  第２の分割面
４５ｆ  第３の分割面
４６  第２のフィルター半体
４６ｄ  第１の分割面
４６ｅ  第２の分割面
４６ｆ  第３の分割面
５１  フィルター付き伸縮カバー
５２  第１の伸縮カバー本体
５３  第２の伸縮カバー本体
５７  フィルター
５８  第１のフィルター半体
５８ｂ  分割面
５９  第２のフィルター半体
５９ｂ  分割面
【図１】
0005557257.tif 000002
【図２】
0005557257.tif 000003
【図３】
0005557257.tif 000004
【図４】
0005557257.tif 000005
【図５】
0005557257.tif 000006
【図６】
0005557257.tif 000007
【図７】
0005557257.tif 000008
【図８】
0005557257.tif 000009
【図９】
0005557257.tif 000010